(57)【要約】【課題】  ユニットバスルームの床パンに固定される貫通金具において、床パンの上部から下部への漏水を確実に防止することのできる貫通金具を提供する。【解決手段】  ユニットバス１の床パン２に貫通孔２ａが穿設され、この貫通孔２ａにより床下から床上に水用又は湯用の通水管５が立ち上げられ、貫通孔２ａには通水管５を支持する貫通金具１０が装着され、この貫通金具１０は床パン２に固定される円筒部材１１と、この円筒部材１１を床パン２に対し締結する固定ナット１７と、円筒部材１１の内部に収容され通水管５を支持する防水パッキン２１と、防水パッキン２１を円筒部材１１に固定するための押さえナット２４とを備え、前記防水パッキン２１を通水管５と押さえナット２４との間で上部に露出させた。【選択図】  図２
2006097270.tif 000002
【特許請求の範囲】
【請求項１】
ユニットバスの床パンに貫通孔が穿設され、この貫通孔により床下から床上に水用又は湯用の通水管が立ち上げられ、貫通孔には通水管を支持する貫通金具が装着され、この貫通金具は床パンに固定される円筒部材と、この円筒部材を防水パンに対し締結する固定ナットと、円筒部材の内部に収容され通水管を支持する防水パッキンと、防水パッキンを円筒部材に固定するための押さえナットとを備え、前記防水パッキンを通水管と押さえナットとの間で上部に露出させたことを特徴とする貫通金具。
【請求項２】
前記円筒部材の内部で防水パッキンの下部には通水管を支持する支持部材が収容されたことを特徴とする請求項１記載の貫通金具。
【請求項３】
前記防水パッキンの上面は円錐面が形成されたことを特徴とする請求項１又は２記載の貫通金具。
【発明の詳細な説明】
【技術分野】
【０００１】
この発明は、ユニットバス等の床パンにおいて、給水管、給湯管を上下方向に貫通させる貫通金具に関するものである。
【背景技術】
【０００２】
従来、ユニットバスの床パンには水用又は湯用の通水管を貫通させるための貫通孔が穿設されており、貫通孔には通水管が振動しないように固定するための貫通金具が装着されている。このような貫通金具として公知のものに特許文献１がある。この特許文献１では、貫通金具は浴槽設置部に設けられた床パンの開口部を覆うもので、内周面に形成されている内リブの内径を、給水管、給湯管などの通水管の外径よりも予め大径に設定しておき、通水管の外径よりも小さい内径部を有するスポンジパッキンを使用して、スポンジパッキンを内リブ上に嵌め込んで、スポンジパッキンの内径部を通水管の外周に密着させて止水するように構成したものである。
【０００３】
【特許文献１】特開２００３−６４７４７号公報の図８
【０００４】
上記の場合、スポンジパッキンは貫通金具の内部で上部に空間が形成された状態で収容されているため、水が通水管を伝ってこの空間に溜まってしまう。このように水がスポンジパッキンの上部に溜まる状態が続くと極めて不衛生である。そしてスポンジパッキンが内リブに対し正常に装着されていても、水栓を使用すると湯水の吐水・止水時に一時的に圧力が急増しウォーターハンマー現象が発生して通水管は激しく振動するため、通水管とスポンジパッキンとの間の隙間が広がり、この隙間から水がスポンジパッキンの下部へ浸入してしまう。この場合、スポンジパッキンは通水管の外周面に密着しているが、通水管の振動が激しいと、スポンジパッキンのみでは通水管との水密状態を維持することができず、水は床パンの下部へ達してしまう。また、別の実施例では通水管とのより確実な止水性を確保するため、スポンジパッキンの上面側にシリコンを充填させているが、作業性の悪いものであった。さらに、一般に床パンの下部は目視することがなく、床パンの下部が水浸しになっていても発見することができず、拡大損害となる恐れがあった。
【発明の開示】
【発明が解決しようとする課題】
【０００５】
この発明は、このような従来の技術に存在する問題点に着目してなされたものであり、その課題は、ユニットバスルームの床パンに固定される貫通金具において、床パンの上部から下部への漏水を確実に防止することのできる貫通金具を提供することである。
【課題を解決するための手段】
【０００６】
上記目的を達成するため、請求項１に記載の発明では、ユニットバスの床パンに貫通孔が穿設され、この貫通孔により床下から床上に水用又は湯用の通水管が立ち上げられ、貫通孔には通水管を支持する貫通金具が装着され、この貫通金具は床パンに固定される円筒部材と、この円筒部材を床パンに対し締結する固定ナットと、円筒部材の内部に収容され通水管を支持する防水パッキンと、防水パッキンを円筒部材に固定するための押さえナットとを備え、前記防水パッキンを通水管と押さえナットとの間で上部に露出させたことを特徴とするものである。
【０００７】
請求項２に記載の発明では請求項１記載の貫通金具において、前記円筒部材の内部で防水パッキンの下部には通水管を支持する支持部材が収容されたことを特徴とするものである。
【０００８】
請求項３に記載の発明では請求項１又は２記載の貫通金具において、前記防水パッキンの上面は円錐面が形成されたことを特徴とするものである。
【発明の効果】
【０００９】
本発明の請求項１記載の発明では、防水パッキンを通水管と押さえナットとの間で上部に露出させ、通水管の外周面を伝わる水は防水パッキンから床パンへ流れ落ちるようにしたので、水が貫通金具の上部で溜まり死水となったり、内部に侵入することがなく、床パンの下部に水が浸入することにより発生する漏水事故を防止することができる。
【００１０】
請求項２に記載の発明では、前記円筒部材の内部で防水パッキンの下部には通水管を支持する支持部材が収容されたので、通水管は支持部材により支持されているため、水栓でウォーターハンマー現象が発生しても水密状態が維持され、床パンの下部に水が浸入することにより発生する漏水事故を確実に防止することができる。
【００１１】
請求項３に記載の発明では、防水パッキンの上面には円錐面が形成されているので、水は防水パッキンで留まることなく床パンへ向けてスムーズに流れ落ちる。
【発明を実施するための最良の形態】
【００１２】
以下、本発明の実施例を図に基づいて詳細に説明する。
【実施例１】
【００１３】
図１は本発明の貫通金具１０がユニットバス１の床パン２へ装着された状態を示すものである。床パン２はユニットバス１の底面を構成するものであり、ユニットバス１に装着された水栓３に接続されている給水用又は給湯用の配管４と上下に向かい合う位置に、貫通孔２ａが穿設されており、この貫通孔２ａ内に水又は湯を前記配管４へ供給するための通水管５が、上下方向に貫通する状態で挿通される。
【００１４】
前記通水管５は水又は湯を水栓３へ供給するためのもので、容易に屈曲できる合成樹脂製のポリブテンやポリエチレン管等で形成され、一端は床パン２の下部に配置され、他端は床パン２の上部で配管４に接続されるものである。
【００１５】
前記貫通金具１０は床パン２に対し上部から固定される円筒部材１１と、この円筒部材１１を床パン２に対し下部から締結する固定ナット１７と、円筒部材１１の内部に収容され通水管５を支持する支持部材１８と、支持部材１８の上部に装着される防水パッキン２１と、防水パッキン２１を円筒部材１１に固定するための押さえナット２４とを備えている。
【００１６】
前記円筒部材１１は略円筒状で、床パン２に対し上部から固定されるものであり、上下両端の外周面には第１雄ねじ部１２と第２雄ねじ部１２ａとがそれぞれ形成され、外周面の略中央は外側へ突出してフランジ部１３が一体に形成されており、内部には上下方向に貫通して収容室１４，１４ａが形成されている。この収容室１４，１４ａは通水管５が上下に挿通できる内径で、上部収容室１４と下部収容室１４ａとからなり、上部収容室１４は下部収容室１４ａより大径であり、両収容室１４，１４ａの間には環状の鍔部１５が一体に形成されている。そして、この円筒部材１１は床パン２の貫通孔２ａ周縁に上部から円盤型のパッキン１６を配置した状態で、パッキン１６の上部にフランジ部１３を重ね合わせ、床パン２の下部から第２雄ねじ部１２ａに対し固定ナット１７を螺着することで、床パン２に固定される。
【００１７】
前記支持部材１８は略半円筒状で例えばゴム又は樹脂材等からなり、互いに同形状である一対の支持部材１８，１８を重ね合わせ円筒部材１１の収容室１４，１４ａに収容されるものであり、中央部には通水管５を上下に挿通する縦孔１９が穿設されている。また、支持部材１８は外周面の略中央に、前記円筒部材１１のフランジ部１３と上下に重なり合う外径の鍔部２０が環状に形成されている。
【００１８】
前記防水パッキン２１は一部に切欠部２１ａが形成された円盤型で、例えばゴム，樹脂などの弾性材からなり、中央には通水管５が挿通できる内径の縦孔２２が穿設されている。この防水パッキン２１は、通水管５が支持部材１８の上面に載置された状態で、床パン２の上部から押さえナット２４により固定されるものであり、前記支持部材１８に対し上部に重ね合わせて装着され、その上面は平坦面とし、押さえナット２４の上面より上部に露出している。
【００１９】
前記貫通金具１０をユニットバス１の床パン２に固定するには、床パン２の貫通孔２ａ周縁に上部からパッキン１６を配置しておき、円筒部材１１を床パン２の貫通孔２ａに上部から載置し、円筒部材１１の下部外周面に形成された第２雄ねじ部１２ａに対し固定ナット１７を螺着する。
【００２０】
次に、通水管５の外周面に支持部材１８と防水パッキン２１とを外嵌させ、この支持部材１８と防水パッキン２１とを円筒部材１１の収容室１４，１４ａに収容する。この場合、支持部材１８は鍔部２０が円筒部材１１の鍔部１５に支持されるため、収容室１４，１４ａから落下することがない。
【００２１】
そして、防水パッキン２１をその上面が押さえナット２４より上部に露出させた状態で、押さえナット２４を円筒部材１１の第１雄ねじ部１２に螺着し、支持部材１８と防水パッキン２１とを円筒部材１１の収容室１４，１４ａに装着する。
【００２２】
ここで、本発明の貫通金具１０は、防水パッキン２１が通水管５と押さえナット２４との間で上部に露出している。従って、水栓３、又は水栓３と配管４との接続部等、通水管５より上部で漏水等が発生したり、通水管５の外周面に水が付着した場合、水は通水管５を伝って降下し、貫通金具１０の内部に向かうことがあっても、水は防水パッキン２１の上部で溜まり死水となったり、防水パッキン２１の上面から通水管５と防水パッキン２１との隙間、又は防水パッキン２１と押さえナット２４との隙間から貫通金具１０の内部に侵入することがなく、防水パッキン２１から外周方向へ流れる。そして、水は押さえナット２４の外周面を伝って床パン２の上面へ流れ落ちる。このように、通水管５を伝わる水が貫通金具１０の内部に侵入することがなく、床パン２の下部への漏水を防止することができる。
【実施例２】
【００２３】
図４は実施例１の防水パッキンに代えて、上面に円錐面２３が形成された防水パッキン２１ａを備えた貫通金具１０ａを示す。なお、図４において図２に示した符号と同一のものは同一の符号を付し、その説明を省略する。
この実施例では防水パッキンの上面が円錐面であることから、実施例１と比較してよりスムーズに水を床パンの上面へ流すことができる。
【図面の簡単な説明】
【００２４】
【図１】本発明の第１実施例における貫通金具が装着されたユニットバスの説明図である。
【図２】本発明の第１実施例における貫通金具の縦断面図である。
【図３】本発明の第１実施例における貫通金具の分解斜視図である。
【図４】本発明の第２実施例における貫通金具の縦断面図である。
【符号の説明】
【００２５】
１    ：ユニットバス
２    ：床パン
２ａ  ：貫通孔
５    ：通水管
１０  ：貫通金具
１１  ：円筒部材
１７  ：固定ナット
１８  ：支持部材
２１  ：防水パッキン
２４  ：押さえナット
【図１】
2006097270.tif 000003
【図２】
2006097270.tif 000004
【図３】
2006097270.tif 000005
【図４】
2006097270.tif 000006